(57)【要約】【課題】視聴者が興味を持つようにコンテンツを表示する。【解決手段】表示制御装置１は、車両の位置情報を取得する位置情報取得部１２と、位置情報に基づいて、車両が走行した経路を記録する経路記録部１４１と、コンテンツを車両のボディに設けられた表示部１１に表示させる表示制御部１４２と、表示部１１に表示されたコンテンツの識別情報と、当該コンテンツが表示された位置を示す位置情報とを関連付けて記憶する表示位置情報記憶部１３３とを備え、表示制御部１４２は、位置情報と経路とに基づいて車両が過去に所定回数走行した位置を走行していると判定すると、当該位置において過去に表示されたコンテンツとは異なるコンテンツを表示部１１に表示させる。【選択図】図３
2016164593.tif 000002
【特許請求の範囲】
【請求項１】
車両の位置情報を取得する位置情報取得手段と、
前記位置情報に基づいて、前記車両が走行した経路を記録する経路記録手段と、
コンテンツを前記車両のボディに設けられた表示手段に表示させる表示制御手段と、
前記表示手段に表示されたコンテンツの識別情報と、当該コンテンツが表示された位置を示す前記位置情報とを関連付けて記憶する表示位置情報記憶手段とを備え、
前記表示制御手段は、前記位置情報と前記経路とに基づいて前記車両が過去に所定回数走行した位置を走行していると判定すると、当該位置において過去に表示されたコンテンツとは異なるコンテンツを前記表示手段に表示させることを特徴とする、
表示制御装置。
【請求項２】
前記表示制御手段は、前記車両が、現在時刻より前の所定時間以内に前記所定回数走行した位置を走行していると判定すると、前記異なるコンテンツを前記表示手段に表示させることを特徴とする、
請求項１に記載の表示制御装置。
【請求項３】
前記表示制御手段は、前記車両が、所定時間帯に前記所定回数走行した位置を走行していると判定すると、前記異なるコンテンツを前記表示手段に表示させることを特徴とする、
請求項１又は２に記載の表示制御装置。
【請求項４】
前記表示制御手段は、前記車両が、所定方向に前記所定回数走行した位置を走行していると判定すると、前記異なるコンテンツを前記表示手段に表示させることを特徴とする、
請求項１から３のいずれか１項に記載の表示制御装置。
【請求項５】
前記表示制御手段は、複数の前記経路のそれぞれに対して、異なる前記所定回数を用いることを特徴とする、
請求項１から４のいずれか１項に記載の表示制御装置。
【発明の詳細な説明】
【技術分野】
【０００１】
本発明は、コンテンツを車両のボディに表示させる表示制御装置に関する。
【背景技術】
【０００２】
従来、広告等のコンテンツを車両のボディに表示させることが知られている。例えば、特許文献１には、位置とコンテンツとの対応関係と記憶しておき、ＧＰＳ（Global Positioning System）を用いて車両の位置を検出し、当該車両の位置に対応するコンテンツを車両の側面及び後方に表示させる表示システムが開示されている。
【先行技術文献】
【特許文献】
【０００３】
【特許文献１】特開２０１４−１７４４９３号公報
【発明の概要】
【発明が解決しようとする課題】
【０００４】
従来の表示システムでは、車両が同じ場所を何度も走行する場合、同じコンテンツが表示されることがある。しかしながら、同じ場所において何度も同じコンテンツが表示されると、同じ場所に滞在しているコンテンツの視聴者が飽きてしまうという問題が生じていた。
【０００５】
そこで、本発明は、視聴者が興味を持つようにコンテンツを表示することができる表示制御装置を提供することを目的とする。
【課題を解決するための手段】
【０００６】
本発明の表示制御装置は、車両の位置情報を取得する位置情報取得手段と、前記位置情報に基づいて、前記車両が走行した経路を記録する経路記録手段と、コンテンツを前記車両のボディに設けられた表示手段に表示させる表示制御手段と、前記表示手段に表示されたコンテンツの識別情報と、当該コンテンツが表示された位置を示す前記位置情報とを関連付けて記憶する表示位置情報記憶手段とを備え、前記表示制御手段は、前記位置情報と前記経路とに基づいて前記車両が過去に所定回数走行した位置を走行していると判定すると、当該位置において過去に表示されたコンテンツとは異なるコンテンツを前記表示手段に表示させることを特徴とする。
【０００７】
このようにすることで、車両が過去に所定回数走行した位置を走行すると、当該位置において過去に表示されたコンテンツとは異なるコンテンツが表示手段に表示される。これにより、当該位置に滞在しているコンテンツの視聴者は、複数の異なるコンテンツを視聴することとなるので、これらのコンテンツを、興味を持って視聴することとなる。よって、表示制御装置は、コンテンツを用いた広告宣伝の効果を高めることができる。
【０００８】
前記表示制御手段は、前記車両が、現在時刻より前の所定時間以内に前記所定回数走行した位置を走行していると判定すると、前記異なるコンテンツを前記表示手段に表示させることを特徴とする。
このようにすることで、表示制御装置は、車両が短時間に同じ場所を走行する場合に、表示するコンテンツを切り替えることができるので、視聴者が同じコンテンツに飽きてしまうことを防止できる。
【０００９】
前記表示制御手段は、前記車両が、所定時間帯に前記所定回数走行した位置を走行していると判定すると、前記異なるコンテンツを前記表示手段に表示させることを特徴とする。
このようにすることで、表示制御装置は、一定の時間帯に同じ場所にいる視聴者が、同じコンテンツに飽きてしまうことを防止できる。
【００１０】
前記表示制御手段は、前記車両が、所定方向に前記所定回数走行した位置を走行していると判定すると、前記異なるコンテンツを前記表示手段に表示させることを特徴とする。
このようにすることで、表示制御装置は、道路の両側の視聴者に対して、同じようにコンテンツを表示させることができる。
【００１１】
前記表示制御手段は、複数の前記経路のそれぞれに対して、異なる前記所定回数を用いることを特徴とする。
このようにすることで、表示制御装置は、視聴者が長く滞在する場所では、コンテンツを頻繁に切り替え、視聴者が長く滞在しない場所では、優先度が高いコンテンツを多くの視聴者に見せることができる。
【発明の効果】
【００１２】
本発明によれば、視聴者が興味を持つようにコンテンツを表示することができるという効果を奏する。
【図面の簡単な説明】
【００１３】
【図１】第１の実施形態に係る表示制御装置の概要を示す図である。
【図２】第１の実施形態に係る車両の走行経路の一例を示す図である。
【図３】第１の実施形態に係る表示制御装置の構成を示す図である。
【図４】第１の実施形態に係る表示制御装置における処理の流れを示すフローチャートである。
【図５】第２の実施形態に係る車両の走行経路の一例を示す図である。
【図６】第３の実施形態に係る車両の走行経路の一例を示す図である。
【発明を実施するための形態】
【００１４】
＜第１の実施形態＞
［表示制御装置１の概要］
図１は、第１の実施形態に係る表示制御装置１の概要を示す図である。表示制御装置１は、例えば、トラックやバス等の車両１００に搭載される装置である。表示制御装置１は、車両１００のボディに設けられる表示部１１に対して広告等のコンテンツを表示させる装置である。ここで、コンテンツは、静止画像、動画、テキスト情報の少なくともいずれかによって構成されている。
【００１５】
本実施形態において、車両１００は、例えば、図２に示す地図において矢印で示す経路を走行するものとする。表示制御装置１は、車両１００の位置情報を取得するとともに、車両１００が走行した経路を記録する。表示制御装置１は、位置情報と走行した経路とに基づいて、車両１００が走行している位置が、予め定められた回数を過去に走行した位置であると判定すると、当該位置において過去に表示されたコンテンツとは異なるコンテンツを表示部１１に表示させる。これにより、当該位置に滞在しているコンテンツの視聴者は、異なるコンテンツを、興味を持って視聴することとなる。よって、表示制御装置１は、コンテンツを用いた広告宣伝効果を高めることができる。
【００１６】
［表示制御装置１の構成］
続いて、表示制御装置１の構成を説明する。図３は、第１の実施形態に係る表示制御装置１の構成を示す図である。
表示制御装置１は、表示部１１と、位置情報取得部１２と、記憶部１３と、制御部１４とを備える。
【００１７】
表示部１１は、例えば、液晶ディスプレイにより構成される。表示部１１は、車両１００のボディの側面や後部に設けられる。表示部１１は、制御部１４の制御に応じて広告等のコンテンツを表示する。なお、本実施形態では、表示制御装置１が表示部１１を備えることとしたが、これに限らない。例えば、車両１００のボディに、表示制御装置１とは異なる表示装置を設けておき、表示制御装置１が、当該表示装置に対してコンテンツを表示させるようにしてもよい。
【００１８】
位置情報取得部１２は、車両１００の位置を示す位置情報を取得する。例えば、位置情報取得部１２は、ＧＰＳ衛星（不図示）から受信した電波信号に基づいて、車両１００の位置を示す位置情報を取得する。位置情報は、例えば、緯度を示す緯度情報及び経度を示す経度情報から構成される。
【００１９】
記憶部１３は、例えば、ＲＯＭ、ＲＡＭ及びハードディスク等により構成される。記憶部１３は、表示制御装置１を機能させるための各種プログラムを記憶する。また、記憶部１３は、経路情報記憶部１３１と、コンテンツ記憶部１３２と、表示位置情報記憶部１３３とを備える。
【００２０】
制御部１４は、例えば、ＣＰＵにより構成される。制御部１４は、記憶部１３に記憶されている各種プログラムを実行することにより、表示制御装置１に係る機能を制御する。制御部１４は、経路記録部１４１と、表示制御部１４２と、記憶制御部１４３とを備える。
【００２１】
経路記録部１４１は、位置情報取得部１２が取得した位置情報に基づいて、車両１００が走行した経路を示す経路情報を経路情報記憶部１３１に記録する。
具体的には、経路記録部１４１は、位置情報取得部１２が取得した位置情報と、当該位置情報が取得された時刻とを関連付けて経路情報として経路情報記憶部１３１に記憶させる。経路記録部１４１は、定期的（例えば、１０秒おき）に位置情報を経路情報記憶部１３１に記憶させる。
【００２２】
なお、経路記録部１４１は、車両１００の速度を測定する速度測定部（不図示）から、車両１００の速度を示す速度情報を取得してもよい。経路記録部１４１は、取得した速度情報が示す速度が所定速度以下である場合に、経路情報を経路情報記憶部１３１に記憶させないようにしてもよい。このようにすることで、経路記録部１４１は、車両１００が停止している場合や速度が小さい場合に、同じ位置を示す位置情報が連続して記憶されることを防止することができる。
【００２３】
表示制御部１４２は、コンテンツ記憶部１３２に記憶されているコンテンツを取得して車両１００のボディに設けられた表示部１１に表示させる。
【００２４】
なお、コンテンツには、コンテンツを表示させる位置の範囲を示す範囲情報が関連付けられていてもよい。ここで、範囲情報は、例えば位置の範囲に対応する緯度の範囲を示す情報と、経度の範囲を示す情報とから構成される。この場合、表示制御部１４２は、位置情報取得部１２が取得した位置情報に対応するコンテンツを取得して表示部１１に表示させる。
また、表示制御装置１は、外部装置と無線通信する無線部を備えてもよい。そして、表示制御部１４２は、当該無線部を介して外部装置からコンテンツを取得してもよい。
【００２５】
記憶制御部１４３は、表示制御部１４２によって表示部１１に表示されたコンテンツの識別情報と、当該コンテンツが表示されている位置を示す位置情報とを関連付けて表示位置情報として表示位置情報記憶部１３３に記憶させる。
【００２６】
表示制御部１４２は、位置情報取得部１２が取得した位置情報と、経路記録部１４１が経路情報記憶部１３１に記録した経路情報とに基づいて、車両１００が過去に所定回数走行した位置を走行しているか否かを判定する。表示制御部１４２は、車両１００が過去に所定回数走行した位置を走行していると判定すると、当該位置において過去に表示されたコンテンツとは異なるコンテンツを表示部１１に表示させる。
【００２７】
具体的には、表示制御部１４２は、経路情報記憶部１３１に記憶されている経路情報に含まれている複数の位置情報を参照し、位置情報取得部１２が取得した位置情報と一致する位置情報の数を算出する。表示制御部１４２は、一致する位置情報の数が所定数以上である場合、当該位置情報が示す位置を車両１００が所定回数走行していると判定する。なお、位置情報取得部１２は、位置情報が示す位置が所定の範囲内（例えば１０ｍ以内）である場合に、位置情報が一致すると判定する。
【００２８】
また、表示制御部１４２は、位置情報取得部１２が取得した複数の位置情報が、経路情報に含まれる複数の位置情報により特定される範囲内に含まれている場合に、過去に走行したことがある経路を車両１００が走行していると判定してもよい。この場合、表示制御部１４２は、位置情報取得部１２が取得した複数の位置情報のそれぞれと一致する経路情報内の位置情報の数を算出する。表示制御部１４２は、所定期間内に取得した複数の位置情報のそれぞれと一致する位置情報の数がいずれも所定数以上である場合、当該複数の位置情報が示す経路を車両１００が走行していると判定する。
【００２９】
続いて、表示制御部１４２は、表示位置情報記憶部１３３に記憶されている複数の表示位置情報を参照し、車両１００が過去に所定回数走行した位置において、過去に表示されたコンテンツを特定する。表示制御部１４２は、コンテンツ記憶部１３２に記憶されている複数のコンテンツのうち、特定したコンテンツとは異なるコンテンツを選択して表示部１１に表示させる。
【００３０】
表示制御部１４２は、各種の条件に基づいて、コンテンツを切り替えることができる。例えば、表示制御部１４２は、現在時刻より前の所定時間以内に所定回数走行した位置を車両１００が走行していると判定すると、当該位置において過去に表示されたコンテンツとは異なるコンテンツを表示部１１に表示させる。具体的には、表示制御部１４２は、位置情報取得部１２が取得した位置情報と、現在時刻から３０分以内に記録された複数の位置情報とを参照して、所定時間（例えば、３０分）以内に所定回数（例えば、２回）走行した位置を車両１００が走行しているか否かを判定する。そして、表示制御部１４２は、所定時間以内に所定回数走行した位置を車両１００が走行していると判定すると、表示部１１に表示されているコンテンツを切り替える。このようにすることで、表示制御装置１は、車両１００が短時間に同じ場所を走行する場合に、表示するコンテンツを切り替えることができるので、視聴者が同じコンテンツに飽きてしまうことを防止できる。
【００３１】
また、表示制御部１４２は、所定時間帯に所定回数走行した位置を車両１００が走行していると判定すると、当該位置において過去に表示されたコンテンツとは異なるコンテンツを表示部１１に表示させてもよい。表示制御部１４２は、例えば、現在時刻が所定時間帯に属している場合に、位置情報取得部１２が取得した位置情報と、当該所定時間帯に記録された複数の位置情報とを参照して、当該所定時間帯に所定回数走行した位置を車両１００が走行しているか否かを判定する。そして、表示制御部１４２は、所定時間帯に所定回数走行した位置を車両１００が走行していると判定すると、表示部１１に表示されているコンテンツを切り替える。このようにすることで、表示制御装置１は、一定の時間帯に同じ場所にいる視聴者（例えば、通勤している人）が、同じコンテンツに飽きてしまうことを防止できる。
【００３２】
［フローチャート］
続いて、表示制御装置１に係る処理の流れについて説明する。図４は、第１の実施形態に係る表示制御装置１に係る処理の流れを示すフローチャートである。
まず、表示制御部１４２は、コンテンツ記憶部１３２に記憶されている複数のコンテンツのいずれかを選択し、選択したコンテンツを表示部１１に表示させる（Ｓ１０）。
【００３３】
続いて、位置情報取得部１２は、位置情報を取得し（Ｓ２０）、当該位置情報を制御部１４に出力する。
続いて、経路記録部１４１は、取得された位置情報を経路情報記憶部１３１に記録する（Ｓ３０）。
続いて、記憶制御部１４３は、表示部１１に表示されたコンテンツの識別情報と、当該コンテンツが表示されている位置を示す位置情報とを関連付けた表示位置情報を表示位置情報記憶部１３３に記憶させる（Ｓ４０）。
【００３４】
続いて、制御部１４は、例えば、表示制御装置１が備える入力部（不図示）を介して、コンテンツの表示を終了させる指示を受け付けたか否かを判定する（Ｓ５０）。制御部１４は、終了指示を受け付けたと判定すると、本フローチャートに示す処理を終了し、終了指示を受け付けていないと判定すると、Ｓ６０に処理を移す。
【００３５】
続いて、表示制御部１４２は、同じ位置を所定回数走行したか否かを判定する（Ｓ６０）。表示制御部１４２は、同じ位置を所定回数走行したと判定すると、Ｓ７０に処理を移す。また、表示制御部１４２は、同じ位置を所定回数走行していないと判定すると、Ｓ２０に処理を移す。
【００３６】
続いて、Ｓ７０において、表示制御部１４２は、コンテンツ記憶部１３２から、所定回数走行したと判定された位置において過去に表示されたコンテンツとは異なるコンテンツを選択し、当該コンテンツを表示部１１に表示させる。その後、表示制御部１４２は、Ｓ２０に処理を移す。
【００３７】
［第１の実施形態における効果］
以上説明したように、表示制御装置１は、車両１００が過去に所定回数走行した位置を走行していると判定すると、当該位置において過去に表示されたコンテンツとは異なるコンテンツを表示部１１に表示させる。これにより、当該位置に滞在しているコンテンツの視聴者は、複数の異なるコンテンツを視聴することとなるので、これらのコンテンツを、興味を持って視聴することとなる。よって、表示制御装置は、コンテンツを用いた広告宣伝効果を高めることができる。
【００３８】
＜第２の実施形態＞
［走行した回数を方向ごとに管理する］
続いて、第２の実施形態について説明する。第２の実施形態では、表示制御部１４２が、過去に同一の方向に所定回数走行した位置を車両１００が走行していると判定すると、当該位置において過去に表示されたコンテンツとは異なるコンテンツを表示部１１に表示させる点で第１の実施形態と異なる。
【００３９】
第２の実施形態において、車両１００は、例えば図５に示す地図において矢印で示す経路を走行するものとする。この場合、車両１００は、当該経路の１回の走行において、図５に示すエリアＡを左方向から１回通過するとともに、右方向から１回通過する。この場合に、車両１００がエリアＡを左方向から１回通過した時にコンテンツａを表示し、その後、右方向から通過する時にコンテンツａからコンテンツｂに切り替えてしまうと、右方向から通過する車両１００のコンテンツのみを視聴する人が、コンテンツａを視聴できない。このような問題を防ぐために、第２の実施形態の表示制御装置１は、走行した方向ごとに、過去に同一の位置で同一のコンテンツを表示した回数を管理する。
【００４０】
具体的には、表示制御部１４２は、例えば、位置情報取得部１２が取得した位置情報と、経路記録部１４１が直前に記録した位置情報とに基づいて、車両１００の進行方向を特定する。
続いて、表示制御部１４２は、経路情報記憶部１３１に記憶されている複数の位置情報から、位置情報取得部１２が取得した位置情報に一致するとともに、特定した進行方向に対応する位置情報を特定する。ここで、表示制御部１４２は、例えば、複数の位置情報のうち、記録された時刻が連続する位置情報の変化に基づいて、進行方向を特定する。表示制御部１４２は、特定した位置情報が所定数以上である場合に、当該位置情報が示す位置において過去に表示されたコンテンツとは異なるコンテンツを表示部１１に表示させる。
【００４１】
本実施形態の表示制御装置１は、車両１００のボディ側面の両側に設けられた表示部１１に、それぞれ異なるコンテンツを表示するケースにおいても有効である。この場合には、エリアＡの同じ位置に滞在している視聴者は、車両１００が図５に示す経路を１回走行する間に、当該車両１００を２回視認することができる。そして、当該視聴者は、当該車両１００に表示されたそれぞれ異なるコンテンツを視聴することができる。
【００４２】
この場合に、表示制御部１４２が、過去に１回走行した位置を車両１００が走行したことに応じて、表示部１１に表示されるコンテンツを異なるコンテンツに切り替えると、エリアＡの視聴者が一度も視聴していないコンテンツが異なるコンテンツに切り替えられる。これに対して、本実施形態の表示制御装置１は、走行した方向ごとに、過去に同一の位置で同一のコンテンツを表示した回数を管理するので、視聴者は、車両１００が、過去に走行した方向と反対の方向で進む間に、過去に視聴したコンテンツと異なるコンテンツ（ボディの反対側面に表示されるコンテンツ）を視聴することができる。
【００４３】
このようにすることで、表示制御装置１は、同じ位置に対して車両が異なる方向から走行してきた回数をそれぞれ異なる回数として扱い、これらの方向のうち、着目する方向に対して走行した回数に基づいて異なるコンテンツを表示させることができる。これにより、表示制御装置１は、同じ位置に滞在する視聴者が一度も視聴していないコンテンツが、異なるコンテンツに切り替えられることを防止することができる。
【００４４】
＜第３の実施形態＞
［経路ごとに異なる所定回数を用いる］
続いて、第３の実施形態について説明する。第３の実施形態では、表示制御部１４２が、コンテンツの表示を切り替える基準として用いる所定回数が、経路ごとに異なっている点で第１の実施形態と異なる。
【００４５】
第３の実施形態において、車両１００は、例えば図６に示す地図において、実線の矢印で示す第１経路Ｒ１と、破線の矢印で示す第２経路Ｒ２とを走行するものとする。
【００４６】
第３の実施形態において、記憶部１３は、車両１００が走行を予定している経路を示す複数の位置情報と、当該経路を識別する経路識別情報とを関連付けて記憶している。経路記録部１４１は、記憶部１３を参照し、位置情報取得部１２が取得した位置情報に対応する経路を特定する。経路記録部１４１は、特定した経路を識別する経路識別情報と、位置情報取得部１２が取得した位置情報と、当該位置情報が取得された時刻とを関連付けて、経路情報として経路情報記憶部１３１に記録する。
【００４７】
表示制御部１４２は、複数の経路のそれぞれにおいて異なるコンテンツを表示させる。例えば、表示制御部１４２は、車両１００が第１経路Ｒ１を走行している場合には、第１コンテンツを表示させる。また、表示制御部１４２は、車両１００が第２経路Ｒ２を走行している場合には、第２コンテンツを表示させる。
【００４８】
表示制御部１４２は、車両が過去に所定回数走行した位置を走行していると判定する場合に、経路ごとに異なる所定回数を用いる。例えば、記憶部１３が、経路識別情報と、所定回数とを関連付けて記憶しており、表示制御部１４２は、車両１００が走行している経路に関連付けられている所定回数を用いて、コンテンツを切り替えるか否かを判定する。
【００４９】
例えば、第１経路Ｒ１に対応する所定回数が２回であり、第２経路Ｒ２に対応する所定回数が５回であるとする。この場合、表示制御部１４２は、車両１００が第１経路Ｒ１を走行している場合に、過去に２回走行した位置を走行していると判定すると、表示部１１に表示させるコンテンツを第１コンテンツから他の異なるコンテンツに切り替える。また、表示制御部１４２は、車両１００が第２経路Ｒ２を走行している場合に、過去に５回走行した位置を走行していると判定すると、表示部１１に表示させるコンテンツを第２コンテンツから他の異なるコンテンツに切り替える。
【００５０】
このようにすることで、表示制御装置１は、車両１００が走行する経路ごとに、コンテンツが表示されるまでの車両１００の走行回数を変化させることができる。これにより、表示制御装置１は、例えば、視聴者が長時間にわたって滞在しやすい位置では異なるコンテンツが表示されるまでの所定回数を小さくできるので、視聴者が同じコンテンツに飽きることを防止できる。
【００５１】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００５２】
１  表示制御装置
１１  表示部
１２  位置情報取得部
１３  記憶部
１３１  経路情報記憶部
１３２  コンテンツ記憶部
１３３  表示位置情報記憶部
１４  制御部
１４１  経路記録部
１４２  表示制御部
１４３  記憶制御部
１００  車両
【図１】
2016164593.tif 000003
【図２】
2016164593.tif 000004
【図３】
2016164593.tif 000005
【図４】
2016164593.tif 000006
【図５】
2016164593.tif 000007
【図６】
2016164593.tif 000008